(57)【要約】【課題】打ち捨てられたインクを簡便な構成で収容する。【解決手段】被記録物に対向して往復移動することにより被記録物に液体を噴射する液体噴射ヘッドに対向して配されるプラテンであって、液体噴射ヘッドに対向する位置において、被記録物が搬送される搬送方向について上下に傾斜して被記録物を保持する案内前部材と、案内前部材の下方において、液体噴射ヘッドから噴射されて被記録物に到着しなかった液体を収容する液体収容部とを備える。【選択図】図４
2005297370.tif 000002
【特許請求の範囲】
【請求項１】
被記録物に対向して往復移動することにより前記被記録物に液体を噴射する液体噴射ヘッドに対向して配されるプラテンであって、
前記液体噴射ヘッドに対向する位置において、前記被記録物が搬送される搬送方向について上下に傾斜して前記被記録物を保持する案内前部材と、
前記案内前部材の下方において、前記液体噴射ヘッドから噴射されて前記被記録物に到着しなかった液体を収容する液体収容部と
を備えるプラテン。
【請求項２】
前記液体収容部内に、前記液体を吸収して保持する液体吸収材が配される請求項１に記載のプラテン。
【請求項３】
前記案内前部材を貫通して前記液体噴射ヘッド側に突出し、前記被記録物の前記搬送方向に延伸する補助リブを有し、前記案内前部材と共に前記被記録物を上下に傾斜して保持する案内補助部材をさらに備え、
前記案内前部材は、前記案内補助部材の前記補助リブが貫通する貫通穴を有し、
前記補助リブにおける前記被記録物の前記搬送方向の下端が、前記液体吸収材内に当接している請求項２に記載のプラテン。
【請求項４】
前記案内補助部材の前記補助リブと前記案内前部材の前記貫通穴との間に、液体が前記液体吸収材に向けて流れる流路が設けられている請求項３に記載のプラテン。
【請求項５】
前記案内前部材は、
前記液体噴射ヘッドの往復移動の方向に延伸する平板部、および、前記平板部から前記液体噴射ヘッド側に突出し前記被記録物の前記搬送方向に延伸する複数の上リブを含む上リブ部、
前記液体噴射ヘッドの往復移動の方向に延伸する平板部、および、前記液体噴射ヘッド側に突出し、前記被記録物の前記搬送方向について前記上リブから離間して前記上リブに対応する位置に配された下リブを含む下リブ部、
前記上リブおよび前記下リブとの間に配され、前記液体噴射ヘッドの往復移動の方向に沿って延伸する溝、および、
前記溝において前記上リブ部と前記下リブ部とを繋ぐ下方に凸のＵ字のブリッジ
を有し、
前記ブリッジの側面は、前記液体吸収材に当接している請求項１に記載のプラテン。
【請求項６】
被記録物に対向して往復移動することにより前記被記録物に液体を噴射する液体噴射ヘッドと、
前記被記録物を下方から前記液体噴射ヘッドに対向する位置に搬送する搬送ローラと、
前記液体噴射ヘッドに対向する位置において、前記被記録物が搬送される搬送方向について上下に傾斜して前記被記録物を保持する案内前部材と、
前記案内前部材と前記搬送ローラとの間において、前記液体を吸収する液体吸収部と
を備える液体噴射装置。
【発明の詳細な説明】
【技術分野】
【０００１】
本発明は、プラテンおよび液体噴射装置に関する。特に、本発明は、被記録物を下方から支持するプラテンおよび液体噴射装置に関する。
【背景技術】
【０００２】
液体噴射装置の一例としてのインクジェット式記録装置は、記録が行われる被記録物を記録ヘッドの下方に案内し、この被記録物を下方から支持するプラテンを備える。被記録物の端まで記録を行ういわゆるふち無しの記録を行うため、記録ヘッドが被記録物の外側にインクを打ち捨てる場合がある。打ち捨てられたインクはプラテンに着弾するが、着弾したインクが被記録物に付着すると被記録物を汚すことになる。よって、インクジェット式記録装置に、記録ヘッドから打ち捨てられたインクを吸収するインク吸収部材を設けることが知られている（例えば、特許文献１を参照）。
【特許文献１】特開２００３−３３４９７６号公報（第２図）
【発明の開示】
【発明が解決しようとする課題】
【０００３】
上記インク吸収部材は、プラテン上において被記録物との間に配されているので、インクを吸収した部分が被記録物と接触すると、インクがインク吸収部材から被記録物に再付着するおそれがある。そこで、特許文献１に示すインクジェット式記録装置において、インク吸収部材はロールに巻かれたシート状であり、インクを吸収した部分が順次巻き取られる。しかしながら、この構成においては、記録に伴ってインク吸収部材を巻き取るための機構を設けるので部品点数が多くなるという課題がある。さらに、移動するインク吸収部材の上に被記録物を載置するので、被記録物と記録ヘッドとのギャップを一定に保つことが難しいという課題がある。
【課題を解決するための手段】
【０００４】
上記課題を解決するために、本発明の第１の形態においては、被記録物に対向して往復移動することにより被記録物に液体を噴射する液体噴射ヘッドに対向して配されるプラテンであって、液体噴射ヘッドに対向する位置において、被記録物が搬送される搬送方向について上下に傾斜して被記録物を保持する案内前部材と、案内前部材の下方において、液体噴射ヘッドから噴射されて被記録物に到着しなかった液体を収容する液体収容部とを備える。これにより、プラテン上に打ち捨てられた液体を、案内前部材に沿って流し、液体収容部で確実に収容することができる。また、プラテンが被記録物を保持するので、被記録物と液体噴射ヘッドとのギャップを一定に保つことができる。
【０００５】
上記プラテンにおいて、液体収容部内に、液体を吸収して保持する液体吸収材が配されてもよい。これにより、液体収容部に収容した液体を確実に保持することができる。
【０００６】
上記プラテンは、案内前部材を貫通して液体噴射ヘッド側に突出し、被記録物の搬送方向に延伸する補助リブを有し、案内前部材と共に被記録物を上下に傾斜して保持する案内補助部材をさらに備え、案内前部材は、案内補助部材の補助リブが貫通する貫通穴を有し、補助リブにおける被記録物の搬送方向の下端が、液体吸収材内に当接していてもよい。これにより、補助リブを伝って流れる液体を液体吸収材で確実に吸収することができる。
【０００７】
上記プラテンにおいて、案内補助部材の補助リブと案内前部材の貫通穴との間に、液体が液体吸収材に向けて流れる流路が設けられていてもよい。これにより、補助リブを伝って流れる液体をより確実に液体吸収材へ流すことができる。
【０００８】
上記プラテンにおいて、案内前部材は、液体噴射ヘッドの往復移動の方向に延伸する平板部、および、平板部から液体噴射ヘッド側に突出し被記録物の搬送方向に延伸する複数の上リブを含む上リブ部、液体噴射ヘッドの往復移動の方向に延伸する平板部、および、液体噴射ヘッド側に突出し、被記録物の搬送方向について上リブから離間して上リブに対応する位置に配された下リブを含む下リブ部、上リブおよび下リブとの間に配され、液体噴射ヘッドの往復移動の方向に沿って延伸する溝、および、溝において上リブ部と下リブ部とを繋ぐ下方に凸のＵ字のブリッジを有し、ブリッジの側面は、液体吸収材に当接していてもよい。これにより、ブリッジ上に流れ込んだ液体を液体吸収材で確実に吸収することができる。
【０００９】
本発明の第２の形態によると、液体噴射装置であって、被記録物に対向して往復移動することにより被記録物に液体を噴射する液体噴射ヘッドと、被記録物を下方から液体噴射ヘッドに対向する位置に搬送する搬送ローラと、液体噴射ヘッドに対向する位置において、被記録物が搬送される搬送方向について上下に傾斜して被記録物を保持する案内前部材と、案内前部材と搬送ローラとの間において、液体を吸収する液体吸収部とを備える。これにより、第１の形態と同様の効果を得ることができる。さらに、搬送ローラが案内前の下方に配されていても、搬送ローラに液体が付着することを防ぐことができる。
【００１０】
なお、上記の発明の概要は、本発明の必要な特徴の全てを列挙したものではなく、これらの特徴群のサブコンビネーションもまた、発明となりうる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１２】
図１は、本発明の実施形態に係る液体噴射装置の一例であるインクジェット式記録装置１０の斜視図を示す。図２は、図１のインクジェット式記録装置１０を被記録物２０が搬送される方向に沿ってその概略を示す概略図である。なお、図１においてインクジェット式記録装置１０を覆うカバーが取り外された状態が示されている。
【００１３】
図１および図２に示すように、インクジェット式記録装置１０は、被記録物２０を保持し、上方に給送する給送部１００と、給送部１００よりも上方に配され、被記録物２０上に記録を行う記録部２００と、記録部２００に対向して配され、被記録物２０を支持するプラテン３００と、プラテン３００と給送部１００との間に配され、被記録物２０を給送部１００からプラテン３００へ搬送する搬送部４００と、プラテン３００よりも上方に配され、記録が行われた被記録物２０を排出する排出部５００とを備える。
【００１４】
給送部１００は、被記録物２０を積層して保持する略平板状の給紙トレイ１１０を有する。給紙トレイ１１０は、図１に示すように被記録物２０を略水平に保持する退避位置と、図２に示すように被記録物２０の先端を上方に向けた給送位置との間を回動する。給送部１００はさらに、給紙トレイ１１０が給送位置にある場合における給紙トレイ１１０の先端の上方に、予備ローラ１４０を有する。給送部１００はさらに、予備ローラ１４０における被記録物２０の搬送方向の下流すなわち上方に、予備ローラ１４０に同期して回転する給送ローラ１２０、および、この給送ローラ１２０との間で被記録物２０を挟んで連れ回る分離ローラ１３０を有する。
【００１５】
給送部１００の斜め上方に配された記録部２００は、インクを保持したインクカートリッジ３０を収容するキャリッジ２１０、および、記録ヘッド２３０の下方に配され、プラテン３００に対向して複数の吐出口が配された記録ヘッド２３０を有する。記録ヘッド２３０において複数の吐出口が配された面２３２は、水平面に対して上下に傾いており、被記録物２０が搬送される方向について上流側よりも下流側が上にある。記録部２００はさらに、被記録物２０の幅方向にわたって延伸するキャリッジガイド軸２２０を有する。キャリッジガイド軸２２０は、キャリッジ２１０の一部に挿入されており、キャリッジ２１０の被記録物２０上の往復移動を案内する。
【００１６】
記録ヘッド２３０に対向して斜め下方に配されたプラテン３００は、記録ヘッド２３０の面２３２と略平行に水平面に対して傾いており、被記録物２０の幅方向、すなわち、記録ヘッド２３０が往復移動する方向に延伸している。
【００１７】
給送部１００とプラテン３００との間に配された搬送部４００は、不図示のモータにより駆動されて回転する搬送駆動ローラ４１０、および、この搬送駆動ローラ４１０との間で被記録物２０を挟んで連れ回る搬送従動ローラ４２０を有する。同様に、プラテン３００の上方に配された排出部５００は、不図示のモータにより駆動されて回転する排出駆動ローラ５１０、および、この排出駆動ローラ５１０との間で被記録物２０を挟んで連れ回る排出従動ローラ５２０を有する。
【００１８】
以上の構成によるインクジェット式記録装置１０において、記録を行う前の状態で、給紙トレイ１１０は図１に示す退避位置にあって被記録物２０を略水平に保持している。記録を行う場合に、給紙トレイ１１０は図２に示す給送位置に回転し、積層している最上段の被記録物２０における下流側の先端を予備ローラ１４０に当接させる。この状態で予備ローラ１４０が回転することにより、給紙トレイ１１０における最上段の被記録物２０を給送ローラ１２０に向けて給送する。予備ローラ１４０により給送された被記録物２０を、給送ローラ１２０と分離ローラ１３０とが把持し、さらに搬送部４００に向けて給送する。給送ローラ１２０および分離ローラ１３０により給送された被記録物２０を、搬送駆動ローラ４１０と搬送従動ローラ４２０とが把持し、プラテン３００の上方に搬送する。
【００１９】
その後、キャリッジ２１０がキャリッジガイド軸２２０に沿って往復移動しつつ、キャリッジ２１０と共に往復移動する記録ヘッド２３０がインクカートリッジ３０のインクを、プラテン３００上に搬送された被記録物２０へ向けて噴射することにより、被記録物２０上に記録が行われる。さらに、搬送駆動ローラ４１０および搬送従動ローラ４２０が被記録物２０を所定量だけ搬送し、搬送された被記録物２０上を記録ヘッド２３０が往復移動しつつ記録を行う。この動作を繰り返すことにより、記録ヘッド２３０が被記録物２０上の全面に記録を行う。記録が行われた被記録物２０を、プラテン３００のさらに上方に配された排出駆動ローラ５１０と排出従動ローラ５２０とが把持し、インクジェット式記録装置１０の上方へ排出する。
【００２０】
ここで、インクジェット式記録装置１０は、被記録物２０に対して液体を噴射することで記録を行う液体噴射装置の一例である。また、インクジェット式記録装置１０の記録ヘッド２３０は、液体噴射装置の液体噴射ヘッドの一例である。記録ヘッド２３０に設けられる吐出口は、液体噴射ヘッドの噴射口の一例である。
【００２１】
しかしながら、本発明はこれらに限られない。液体噴射装置の他の例は、液晶ディスプレイのカラーフィルタを製造するカラーフィルタ製造装置である。この場合、カラーフィルタ製造装置の色材噴射ヘッドが液体噴射ヘッドの一例である。液体噴射装置のさらに他の例は、有機ＥＬディスプレイ、ＦＥＤ（面発光ディスプレイ）等の電極を形成する電極形成装置である。この場合、電極形成装置の電極材（電導ペースト）噴射ヘッドが液体噴射ヘッドの一例である。液体噴射装置のさらに他の例は、バイオチップを製造するバイオチップ製造装置である。この場合、バイオチップ製造装置の生体有機物噴射ヘッドおよび精密ピペットとしての試料噴射ヘッドが液体噴射ヘッドの一例である。本発明の液体噴射装置は、産業用途を有するその他の液体噴射装置も含む。また被記録物とは、液体が噴射されることにより記録が行われる物であり、例えば記録用紙、ディスプレイの電極等の回路パターンが形成される回路基板、ラベルが記録されるＣＤ−ＲＯＭ、ＤＮＡ回路が記録されるプレパラートが含まれる。
【００２２】
図３は、プラテン３００の斜視図であり、図４は、図３における領域Ｘを拡大して示す拡大図である。図５は、図３に示すプラテン３００の分解斜視図である。図６は、プラテン３００を記録ヘッド２３０の側からみた上面図であり、図７は、プラテン３００を図６における断面Ａで切断した断面図である。
【００２３】
図３および図４に示すように、プラテン３００は、記録ヘッド２３０が往復移動する方向に沿って延伸し、全体が略平板形状を有する。プラテン３００は、被記録物２０を、搬送方向の上流側が下となるように、上下に傾斜して保持する。
【００２４】
図５に示すように、プラテン３００は、案内前部材３１０、液体吸収材３５０および案内補助部材３３０を有する。案内前部材３１０は、上リブ部３１２、この上リブ部３１２に対して溝３１５を挟んで被記録物２０の搬送方向の上流側に配された下リブ部３１６、溝３１５においてこれら上リブ部３１２と下リブ部３１６とを連結するブリッジ３２０を有する。案内前部材３１０は、板金を絞り加工することにより一体に成形される。
【００２５】
上リブ部３１２は、記録ヘッド２３０の往復移動の方向に延伸する平板部３１３、および、この平板部３１３から記録ヘッド２３０側に突出し被記録物２０の搬送方向に延伸する複数の上リブ３１４を含む。複数の上リブ３１４は、記録ヘッド２３０の往復移動の方向に並列して配される。図５に示す上リブ部３１２は、８個の上リブ３１４を有する。また、上リブ部３１２は、記録ヘッド２３０の往復移動の方向について上リブ３１４の両端に矩形の貫通穴３１９を有する。図５に示す上リブ部３１２は１６個の貫通穴３１９を有する。また、各々の貫通穴３１９の幅は、後述する案内補助部材３３０の補助リブ３３２の幅よりも大きい。図６に示すように、記録ヘッド２３０の往復移動の方向における上リブ３１４の位置は、排出従動ローラ５２０（および上流側に配された搬送従動ローラ４２０）の位置に対応している。
【００２６】
下リブ部３１６は、記録ヘッド２３０の往復移動の方向に延伸する平板部３１７、および、記録ヘッド２３０側に突出し、被記録物２０の搬送方向について上リブ３１４から離間して配された下リブ３１８を含む。下リブ３１８は、被記録物２０の搬送方向に沿って上リブ３１４と同一直線上に配される。図５に示す下リブ部３１６は、下リブ３１８の個数と同じく８個の下リブ３１８を有する。
【００２７】
これら上リブ部３１２と下リブ部３１６との間に配された溝３１５は、記録ヘッド２３０の往復移動の領域よりも下方（上流側）であって、往復移動の方向に沿って延伸している。この溝３１５において、ブリッジ３２０は、下方に凸のＵ字形状を有し、上リブ部３１２と下リブ部３１６とを繋ぐ。図５に示す案内前部材３１０は、７個のブリッジ３２０を有する。ブリッジ３２０が上リブ部３１２および下リブ部３１６を連結することにより、案内前部材３１０を絞り加工で成形する場合に、上リブ部３１２の複数の上リブ３１４同士およびこれらと下リブ部３１６の複数の下リブ３１８の高さを、均一にそろえることができる。なお、ブリッジ３２０は、記録ヘッド２３０の往復移動の方向について、上リブ３１４および貫通穴３１９とはずれた位置に配される。
【００２８】
図５および図７に示すように、案内補助部材３３０は、案内前部材３１０における記録ヘッド２３０の反対側（図における下方）に配される。案内補助部材３３０は、樹脂を射出することにより一体に成形される。案内補助部材３３０は、記録ヘッド２３０の往復移動の方向に沿って延伸する平板部３３６、この平板部３３６よりも被記録物２０の搬送方向の上流側において平板部３３６よりも下方に設けられた液体収容部３４０、および、平板部３３６から記録ヘッド２３０側に突出し被記録物２０の搬送方向に延伸する複数の補助リブ３３２を有する。複数の補助リブ３３２は、記録ヘッド２３０の往復移動の方向に並列して、案内前部材３１０の貫通穴３１９に対向する位置に配される。図５に示す案内補助部材３３０は、１７個の補助リブ３３２を有する。また、補助リブ３３２における被記録物２０の搬送方向の長さは、上リブ３１４における被記録物２０の搬送方向の長さよりも短い。
【００２９】
図５に示すように、液体吸収材３５０は、例えば内部にインクを保持することができる多項質材であり、記録ヘッド２３０の往復移動の方向に沿って延伸した略直方体の形状を有する。また、液体吸収材３５０は、案内補助部材３３０の補助リブ３３２に対応する位置に、切り欠き３５２を有する。図５に示す液体吸収材３５０は、補助リブ３３２と同数である１７個の切り欠き３５２を有する。
【００３０】
プラテン３００を組み立てる場合に、まず、液体吸収材３５０が液体収容部３４０内に収容される。この場合に、案内補助部材３３０の補助リブ３３２が液体吸収材３５０の切り欠き３５２に挿入される。これにより、補助リブ３３２における被記録物２０の搬送方向の下端３３３が液体吸収材３５０内に当接する。さらに、案内補助部材３３０の液体収容部３４０が液体吸収材３５０を収容した状態で、案内補助部材３３０の上方に案内前部材３１０が配される。この場合に、案内補助部材３３０の補助リブ３３２が、案内前部材３１０の貫通穴３１９を貫通し、記録ヘッド２３０へ向けて突出する。これにより、補助リブ３３２は記録ヘッド２３０の往復移動の方向について上リブ３１４の両側に、上リブ３１４と並列して配される。貫通穴３１９の幅は、後述する案内補助部材３３０のブリッジ３２０の幅よりも大きいので、図４に示すように、補助リブ３３２と貫通穴３１９との間にインクが液体吸収材３５０に向けて流れる流路３３４が形成される。また、図７に示すように、ブリッジ３２０の側面が液体吸収材３５０に当接する。この状態で、プラテン３００が、記録ヘッド２３０の下方に、被記録物２０の搬送方向の上流側を下に傾斜して配される。これにより、プラテン３００における案内補助部材３３０の液体収容部３４０はプラテン３００において下方に位置する。
【００３１】
図８は、プラテン３００を被記録物２０の搬送方向から見た一部を示す正面図である。図８に示すように、案内前部材３１０の上リブ３１４における記録ヘッド２３０への高さは、案内補助部材３３０の補助リブ３３２におけるブリッジ３２０への高さよりも高い。これにより、案内前部材３１０の上リブ３１４において記録ヘッド２３０に対する被記録物２０の高さを決め、案内補助部材３３０の補助リブ３３２はその下方において被記録物２０を支持する。これにより、被記録物２０は、柔らかい樹脂製の案内補助部材３３０の補助リブ３３２に対してよりも、硬い板金製の案内前部材３１０の上リブ３１４に対して、強く摺動する。よって、補助リブ３３２の摩耗を防ぎつつ被記録物２０を記録ヘッド２３０に対して所望の高さに保持することができる。
【００３２】
また、案内前部材３１０において絞り加工により形成される上リブ３１４に加えて、案内補助部材３３０において射出成形により補助リブ３３２を形成することにより、記録ヘッド２３０の往復移動の方向について、記録ヘッド２３０に対して高さをそろえたリブを多く配することができる。よって、被記録物２０を搬送する場合に、記録ヘッド２３０の往復移動の方向について、被記録物２０を上リブ３１４、下リブ３１８および補助リブ３３２において多点で支持でき、被記録物２０が記録ヘッド２３０に向けて不規則に波打つのを抑えることができる。これにより、被記録物２０と記録ヘッド２３０とのギャップが均一になり、記録の品質を向上することができる。
【００３３】
プラテン３００上に搬送された被記録物２０上に記録ヘッド２３０がインクを吐出する場合に、被記録物２０の端まで記録をするいわゆるふち無し印刷のため、被記録物２０よりも外側にインクが打ち捨てられる。この場合に、打ち捨てられたインクは、被記録物２０に到着せず、プラテン３００上に着弾する。ここで、プラテン３００が上下に傾いており、かつ、液体収容部３４０はプラテン３００において下方に位置するので、プラテン３００は、プラテン３００上に着弾したインクを、重力により溝３１５に流れ落とし、液体収容部３４０に収容することができる。よって、プラテン３００上に打ち捨てられたインクにより被記録物２０が汚れることを防ぐことができる。また、プラテン３００の下方において溝３１５から液体収容部３４０にインクを流れ落とすので、プラテン３００よりも下方に配された搬送駆動ローラ４１０にインクが付着することを防ぐことができる。
【００３４】
さらに、液体収容部３４０内には液体吸収材３５０が配されているので、プラテン３００は、液体収容部３４０に収容したインクを確実に保持することができる。また、案内補助部材３３０の補助リブ３３２と案内前部材３１０の貫通穴３１９との間に流路３３４が設けられているので、プラテン３００は、補助リブ３３２を伝って流れるインクをより確実に液体吸収材３５０へ流すことができる。また、補助リブ３３２の下端３３３が液体吸収材３５０内に当接しているので、プラテン３００は、補助リブ３３２を伝って流れるインクを液体吸収材３５０で確実に吸収することができる。
【００３５】
また、ブリッジ３２０は記録ヘッド２３０の往復移動の方向について上リブ３１４および貫通穴３１９とはずれた位置に配されるので、プラテン３００は、上リブ３１４上および流路３３４上に着弾したインクを、ブリッジ３２０上ではなく溝３１５へ流して液体吸収材３５０で吸収することができる。なお、ブリッジ３２０上にインクが流れ込んだ場合であっても、ブリッジ３２０の側面が液体吸収材３５０に当接しているので、このインクを液体吸収材３５０で確実に吸収することができる。
【００３６】
以上、本実施形態によれば、プラテン３００が上下に傾いており、かつ、液体収容部３４０はプラテン３００において下方に位置するので、プラテン３００は、プラテン３００上に着弾したインクを、重力により溝３１５に流れ落とし、液体収容部３４０に収容することができる。よって、プラテン３００上に打ち捨てられたインクにより被記録物２０が汚れることを防ぐことができる。
【００３７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３８】
【図１】本発明の実施形態に係るインクジェット式記録装置１０の斜視図である。
【図２】インクジェット式記録装置１０の概略を示す概略図である。
【図３】プラテン３００の斜視図である。
【図４】図３における領域Ｘを拡大して示す拡大図である。
【図５】図３に示すプラテン３００の分解斜視図である。
【図６】プラテン３００を記録ヘッド２３０の側からみた上面図である。
【図７】プラテン３００を図６における断面Ａで切断した断面図である。
【図８】プラテン３００を被記録物２０の搬送方向から見た一部を示す正面図である。
【符号の説明】
【００３９】
１０  インクジェット式記録装置、２０  被記録物、３０  インクカートリッジ、１００  給送部、１１０  給紙トレイ、１２０  給送ローラ、１３０  分離ローラ、１４０  予備ローラ、２００  記録部、２１０  キャリッジ、２２０  キャリッジガイド軸、２３０  記録ヘッド、３００  プラテン、３１０  案内前部材、３１２  上リブ部、３１３  平板部、３１４  上リブ、３１５  溝、３１６  下リブ部、３１７  平板部、３１８  下リブ、３１９  貫通穴、３２０  ブリッジ、３３０  案内補助部材、３３２  補助リブ、３３４  流路、３３６  平板部、３４０  液体収容部、３５０  液体吸収材、３５２  切り欠き、４００  搬送部、４１０  搬送駆動ローラ、４２０  搬送従動ローラ、５００  排出部、５１０  排出駆動ローラ、５２０  排出従動ローラ
【図１】
2005297370.tif 000003
【図２】
2005297370.tif 000004
【図３】
2005297370.tif 000005
【図４】
2005297370.tif 000006
【図５】
2005297370.tif 000007
【図６】
2005297370.tif 000008
【図７】
2005297370.tif 000009
【図８】
2005297370.tif 000010